【事件の表示】
　特願２０００−２２８１７４「ディスペンサー付き容器」拒絶査定不服審判事件〔平成１４年　２月　６日出願公開、特開２００２−　３７２９７〕について、次のとおり審決する。
【結　論】
　本件審判の請求は、成り立たない。
【理　由】
１．手続の経緯
　本願は、平成１２年７月２８日の出願であって、平成２０年４月４日付けで拒絶査定がされ、これに対し、同年５月８日に拒絶査定不服審判が請求されるとともに、同年６月５日付けで手続補正がなされたものである。
　
２．平成２０年６月５日付け手続補正についての補正却下の決定
【補正却下の決定の結論】
　平成２０年６月５日付け手続補正（以下、「本件補正」という。）を却下する。
　
【理由】
２−１．本件補正
　本件補正は、補正前の請求項１に、
「容器本体の口部に装着されその内部に収容した内容物を定量注出するディスペンサーを備えた容器であって、
　前記ディスペンサーは、定量注出に係わる内容物を収容する貯溜タンクと、この貯溜タンクに保持され容器本体の口部を通して容器本体内から内容物を定量注出する計量栓と、この計量栓に合わさり定量注出に係わる内容物を貯溜タンクに送給する前に一たん保持する定量注出空間を形成するケーシングからなり、
　計量栓は、定量注出空間と貯溜タンクをつなぎ定量注出に係る内容物を貯溜タンクへ供給する貫通孔と、貯溜タンク内の内容物をケーシングを経て外界へ排出する排出口を有し、
　前記貯留タンクを、容器本体の口部の周りに配設してなることを特徴とするディスペンサー付き容器。」
　とあるのを、
「容器本体の口部に装着されその内部に収容した内容物を定量注出するディスペンサーを備えた容器であって、
　前記ディスペンサーは、定量注出に係わる内容物を収容する貯溜タンクと、この貯溜タンクの内部に保持され容器本体の口部を通して容器本体内から内容物を定量注出する計量栓と、この計量栓に合わさり定量注出に係わる内容物を貯溜タンクに送給する前に一たん保持する定量注出空間を形成するケーシングからなり、
　計量栓は、定量注出空間と貯溜タンクをつなぎ定量注出に係る内容物を貯溜タンクへ供給する貫通孔と、貯溜タンク内の内容物をケーシングを経て外界へ排出する排出口を有し、
　前記貯溜タンクを、容器本体の口部の周りに配設してなることを特徴とするディスペンサー付き容器。」
　とする補正を含むものである。
　
　補正後の請求項１は、補正前の請求項１の記載において、計量栓の貯溜タンクへの保持を貯溜タンクの「内部」で行う限定を付加するものである。また、この補正により、発明の産業上の利用分野及び解決しようとする課題を変更するものでもない。
　よって、本件補正は、特許請求の範囲の減縮を目的とするものに該当する。
　
　そこで、本件補正後の請求項１に記載された事項によって特定される発明が特許出願の際独立して特許を受けることができるものであるかについて以下に検討する。
　
２−２．本願補正発明
　本件補正後の請求項１に記載された発明（以下、「本願補正発明」という。）は、本件補正後の明細書及び図面の記載からみて、特許請求の範囲の請求項１に記載された事項（上記「２−１．本件補正」の補正後の請求項１参照）により特定されたとおりのものと認める。
　
２−３．引用発明
　原査定の拒絶の理由に引用された、本願出願前に頒布された刊行物である実願昭６３−７２５７３号（実開平１−１７７１５４号）のマイクロフィルム（以下、「引用例」という。）には、以下の事項及び引用発明が記載されている。
　
（１）「本体５の基部に、容器１の口筒部２に嵌着される嵌着部７を設けると共に、基部には底部８と隔壁２１で仕切られた計量室１２を設け、隔壁２１の上部には液溜室２９を設け、計量室１２の底部８からは流出管９を上方に向けて立設し、流出管９先端部の流出口１０を液溜室２９内に開口させると共に、流出管９基部の流入口１１を容器１内に連通するようにして設け、隔壁２１からは流通管２３を下方に向けて垂下して設け、流通管２３先端の流通出口２４を計量室１２内に開口させると共に、流通管２３基部の流通入口２５は液溜室２９内に連通させ、さらに、隔壁２１から排出管２６を上方に向けて立設し、排出管２６先端部の排出口２７を容器１外に開口させ、排出管入口２８は計量室１２内に連通させた定量注出具。」（【実用新案登録請求の範囲】参照）
　
（２）「本考案は、液体容器の口筒部に装着し、容器の倒立及び正立を繰り返して一定量の内溶液を注出するようにした定量注出具に関する。」（明細書第２頁１〜３行参照）
　
（３）「第１図は本考案の一実施例の定量注出具を示すものであり、嵌着部７によって容器１の口筒部２に螺合して嵌着される本体５は、下部筒６の上部に隔壁筒２０が外嵌して嵌着され、隔壁筒２０の上部に帽体３５が外嵌して嵌着されて形成されている。
　本体５の基部である下部筒６には、底部８が設けてあり、本体５の中央部にある隔壁筒２０には、隔壁２１が設けてあり、この底部８と隔壁２１で仕切られた計量室１２が設けてあり、隔壁２１の上部には帽体３５で囲まれた液溜室２９が設けてある。」（明細書第５頁１７行〜第６頁６行参照）
　
　以上の記載によると、引用例には、
　「液体容器１の口筒部２に装着し、一定量の内溶液を注出するようにした定量注出具を備えた容器であって、
　本体５は、下部筒６の上部に隔壁筒２０が外嵌して嵌着され、隔壁筒２０の上部に帽体３５が外嵌して嵌着されて形成され、
　本体５の基部である下部筒６には、底部８が設けてあり、本体５の中央部にある隔壁筒２０には、隔壁２１が設けてあり、この底部８と隔壁２１で仕切られた計量室１２が設けてあり、隔壁２１の上部には帽体３５で囲まれた液溜室２９が設けてあり、
　隔壁２１からは流通管２３を下方に向けて垂下して設け、流通管２３先端の流通出口２４を計量室１２内に開口させると共に、流通管２３基部の流通入口２５は液溜室２９内に連通させ、さらに、隔壁２１から排出管２６を上方に向けて立設した定量注出具付き容器。」の発明（以下、「引用発明」という）が記載されていると認められる。
　
２−４．対比
　そこで、本願補正発明と引用発明とを比較すると、
　引用発明の「液体容器１」、「口筒部２」、「内溶液」、「定量注出具」、「下部筒６」、「嵌着」、「隔壁筒２０」、「液溜室２９」、「帽体３５」、「流通管２３」及び「排出管２６」は、それぞれ本願補正発明の「容器本体」、「口部」、「定量注出に係わる内容物」、「定量注出するディスペンサー」、「貯溜タンク」、「保持」、「計量栓」、「定量注出空間」、「ケーシング」、「貫通孔」及び「排出口」に相当することから、両者は、
　「容器本体の口部に装着されその内部に収容した内容物を定量注出するディスペンサーを備えた容器であって、
　前記ディスペンサーは、定量注出に係わる内容物を収容する貯溜タンクと、この貯溜タンクに保持され容器本体の口部を通して容器本体内から内容物を定量注出する計量栓と、この計量栓に合わさり定量注出に係わる内容物を貯溜タンクに送給する前に一たん保持する定量注出空間を形成するケーシングからなり、
　計量栓は、定量注出空間と貯溜タンクをつなぎ定量注出に係る内容物を貯溜タンクへ供給する貫通孔と、貯溜タンク内の内容物をケーシングを経て外界へ排出する排出口を有しているディスペンサー付き容器。」である点で一致し、以下の各点で相違する。
　
　相違点１；本願補正発明では、計量栓の貯溜タンクへの保持を、貯溜タンクの内部で行うのに対し、引用発明では、隔壁筒２０の下部筒６への嵌着を、下部筒６の上部に外嵌して行う点。
　
　相違点２；本願補正発明では、貯溜タンクを、容器本体の口部の周りに配設しているのに対し、引用発明では、下部筒６を、そのように配設していない点。
　
２−５．判断
　そこで、上記各相違点を検討すると、
・相違点１について
　一般的に、筒状の２部材同士を嵌着するのに、どちらの部材を内側とするかは、当業者が設計上適宜に選択しうる事項と認められ、また、引用発明において、隔壁筒２０の下部筒６への嵌着を、下部筒６の上部に外嵌して行うことに換えて、内嵌して行うようになすことに格別な困難性は認められないことから、
　引用発明において、隔壁筒２０の下部筒６への嵌着を、下部筒６の上部に内嵌して行うようになすこと、すなわち、計量栓の保持を、貯溜タンクの内部で行うようになすことは、当業者が容易に想到し得たものである。
　
　なお、請求人は平成２１年１１月１９日付けで提出された回答書の中で、「本願発明のように、計量栓を貯溜タンクの内部に保持する構成を採用すれば、定量注出空間を区画するに当たっては貯溜タンク３ａとケーシング３ｃとの二部材をそれぞれ上端、下端で合致させるだけでよいのでその相互間に不可避的に形成される連結部位は一箇所ですむことから、計量に係わる内容物を注出する場合において該連結部位からの液漏れの抑制効果を高めることができる」旨の主張をしているが、そのように連結部位が一箇所ですむような「貯溜タンク」と「ケーシング」との連結構造は、請求項１には記載されておらず、特許請求の範囲の記載事項に基づかない上記主張は採用できない。また、たとえ上記のように連結部位が一箇所ですむような連結構造が特定されたとしても、そのような連結構造自体についても当業者が容易に想到しうる範囲内のものである。
　
・相違点２について
　定量注出用キャップにおいて、計量された内容液の貯蔵室を、容器本体の口部の周りに配設することは、本願出願前周知の技術（例えば、実願昭５８−１１６９５４号（実開昭６０−２４７５６号）のマイクロフィルムや、実願昭５７−４８６４０号（実開昭５８−１５１５５０号）のマイクロフィルム参照）であるので、
　引用発明において、上記周知の技術を採用し、下部筒６を、液体容器１の口筒部２の周りに配設するようになすこと、すなわち、貯溜タンクを、容器本体の口部の周りに配設するようになすことは、当業者が容易に想到し得たものである。
　
　そして、本願補正発明の作用効果も、引用発明及び上記周知の技術から当業者が予測できる範囲内のものである。
　
　したがって、本願補正発明は、引用発明に基づいて、当業者が容易に発明をすることができたものであるから、特許法第２９条第２項の規定により特許出願の際独立して特許を受けることができないものである。
　
２−６．むすび
　以上のとおり、本件補正は、平成１８年法律第５５号改正附則第３条第１項によりなお従前の例によるとされる同法による改正前の特許法１７条の２第５項において準用する同法第１２６条第５項の規定に違反するもので、同法第１５９条第１項において読み替えて準用する同法第５３条第１項の規定により却下すべきものである。
　
３．本願発明
　平成２０年６月５日付け手続補正は、上記のとおり却下され、また、平成１９年３月９日付けで補正された特許請求の範囲の請求項１の記載において、「前記貯留タンク」は「前記貯溜タンク」の誤記と認められるので、本願の請求項１に係る発明（以下、「本願発明」という。）は、以下の事項により特定されるとおりのものと認める。
　「容器本体の口部に装着されその内部に収容した内容物を定量注出するディスペンサーを備えた容器であって、
　前記ディスペンサーは、定量注出に係わる内容物を収容する貯溜タンクと、この貯溜タンクに保持され容器本体の口部を通して容器本体内から内容物を定量注出する計量栓と、この計量栓に合わさり定量注出に係わる内容物を貯溜タンクに送給する前に一たん保持する定量注出空間を形成するケーシングからなり、
　計量栓は、定量注出空間と貯溜タンクをつなぎ定量注出に係る内容物を貯溜タンクへ供給する貫通孔と、貯溜タンク内の内容物をケーシングを経て外界へ排出する排出口を有し、
　前記貯溜タンクを、容器本体の口部の周りに配設してなることを特徴とするディスペンサー付き容器。」
　
４．引用発明
　原査定の拒絶の理由に引用された引用例、その記載事項及び引用発明は、前記「２−３．引用発明」に記載したとおりである。
　
５．対比・判断
　本願発明は、前記「２−２．本願補正発明」で検討した本願補正発明から、計量栓の保持を貯溜タンクの貯溜タンクへの「内部」で行う限定を省いたものである。
　そうすると、本願発明と引用発明とを比較すると、「２−４．対比」での「相違点２」で相違し、その他の点では一致している。
　そこで、上記「相違点２」について検討すると、「２−５．判断」に記載したとおり、当業者が容易に想到し得たものであるので、
　本願発明は、引用発明に基づいて、当業者が容易に発明をすることができたものである。
　
６．むすび
　以上のとおり、本願発明は、引用発明に基づいて、当業者が容易に発明をすることができたものであり、特許法第２９条第２項の規定により特許を受けることができないものであるから、他の請求項に係る発明について検討するまでもなく、本願は、拒絶すべきものである。
　よって、結論のとおり審決する。